(57)【特許請求の範囲】
【請求項１】
データ放送を受信して所定のデータ受信処理を行い映像信号を生成するデータ放送受信機と、
前記映像信号に基づき所定の画面に映像表示を行う映像表示手段と、
前記データ放送受信機に操作を指示するデータ画面表示コマンド信号を出力可能で外部操作可能な入力手段とを備え、
前記データ放送受信機は、前記入力手段からの前記データ画面表示コマンド信号受信時に、前記データ画面表示コマンド信号を受信したことを外部から認識可能に報知する第１の報知機能を有し、
前記データ放送受信機は、
前記入力手段からの前記データ画面表示コマンド信号受信後、前記データ画面表示コマンド信号に基づく新たなデータ画面の前記映像信号を出力するまでの期間において、前記入力手段から出力される、データ放送操作取り消し以外を指示するさらなる前記データ画面表示コマンド信号を受け付けないマスク機能をさらに有することを特徴とする、
データ放送受信システム。
【請求項２】
請求項１記載のデータ放送受信システムであって、
前記データ放送受信機は、
前記入力手段からの前記データ画面表示コマンド信号受信時に、前記所定のデータ受信処理の内容を外部から認識可能に報知する第２の報知機能をさらに有することを特徴とする、
データ放送受信システム。
【請求項３】
請求項１記載のデータ放送受信システムであって、
前記第１の報知機能は所定の発光手段を点灯させる機能を含む、
データ放送受信システム。
【請求項４】
請求項１記載のデータ放送受信システムであって、
前記第１の報知機能は所定の音を出力させる機能を含む、
データ放送受信システム。
【請求項５】
請求項１記載のデータ放送受信システムであって、
前記第１の報知機能は前記所定の画面の少なくとも一部に所定の画像の表示を行う前記映像信号を出力する機能を含む、
データ放送受信システム。
【請求項６】
請求項１記載のデータ放送受信システムであって、
前記第１の報知機能は前記所定の画面を所定の表示形態にする前記映像信号を出力する機能を含む、
データ放送受信システム。
【請求項７】
請求項５記載のデータ放送受信システムであって、
前記所定の画像は時間経過と共に変化する画像を含む、
データ放送受信システム。
【請求項８】
請求項５記載のデータ放送受信システムであって、
前記所定の画像は所定のキャラクタを示すキャラクタ画像を含む、
データ放送受信システム。
【請求項９】
請求項８記載のデータ放送受信システムであって、
前記データ放送受信機は前記キャラクタ画像の画像データを外部から取り込み可能なダウンロード機能をさらに有することを特徴とする、
データ放送受信システム。
【請求項１０】
請求項２記載のデータ放送受信システムであって、
前記第２の報知機能は、所定の音声の出力または文字の表示を行う機能を含む、
データ放送受信システム。
【請求項１１】
請求項５記載のデータ放送受信システムであって、
前記所定の画像の画像データは、前記データ放送用のデータ放送文書ファイル形式で記述されたデータを含む、
データ放送受信システム。
【発明の詳細な説明】
【０００１】
【発明の属する技術分野】
この発明は、リモコン等の入力手段を用いてデータ操作を受け付けるデータ放送受信機を有するデータ放送受信システムに関する。
【０００２】
【従来の技術】
図１７は、例えば特開平１０−２７６１４３号公報に示された従来のデータ放送受信システム全体の構成を示すブロック図である。同図に示すように、ＣＭ（Commercial Message）番組はサービス会社２のＣＭ番組作成・編集装置１４によって作成・編集される。ＣＭ番組作成・編集装置１４によって得られたＣＭデータは、ＦＭ放送局１内のＦＭ文字多重放送編成・送出設備１１に送られる。
【０００３】
ＦＭ放送局１内には、ＦＭ文字多重放送編成・送出設備１１のほか、ＦＭ音声出力装置１２及び一般番組作成・編集装置１３を備えている。ＦＭ文字多重放送編成・送出設備１１はＦＭ音声出力装置１２及び一般番組作成・編集装置１３によってそれぞれ生成された音声信号と文字情報を合成してＦＭ変調されたＦＭ多重信号を放送アンテナ３を介してＦＭ電波として送出する。
【０００４】
ＦＭ多重放送受信機２０はタクシー４等に搭載されており、このＦＭ多重放送受信機２０は、データ放送のページが切り替えられたときにページが切り替えられたことをユーザに報知する報知手段（図示せず）を有している。
【０００５】
【発明が解決しようとする課題】
しかしながら上記のＦＭ多重放送受信機２０ような従来のデータ放送受信機では、報知手段はデータ放送のページが切り替えられたときに、はじめてページが切り替えられたことをユーザに報知するにすぎないため、リモコン等の入力信号からの信号を受信してから新たなデータ（放送）画面が表示されるまでに時間がかかる場合、ユーザには新たなデータ画面の表示処理中であることが報知されないため、単に新たなデータ画面の表示処理に時間がかかっているだけでデータ放送受信機自体に異常が発生していない場合でも、ユーザがデータ放送受信機の受信動作が異常であると誤った判断をおこなってしまう問題点があった。
【０００６】
この発明は上記問題点を解決するためになされたもので、新たなデータ画面の表示処理に時間がかかった場合でも、ユーザがデータ放送受信機が正常動作を行っていることを認識できるデータ放送受信機を有するデータ放送受信システムを得ることを目的とする。
【０００７】
【課題を解決するための手段】
この発明に係る請求項１記載のデータ放送受信システムは、データ放送を受信して所定のデータ受信処理を行い映像信号を生成するデータ放送受信機と、前記映像信号に基づき所定の画面に映像表示を行う映像表示手段と、前記データ放送受信機に操作を指示するデータ画面表示コマンド信号を出力可能で外部操作可能な入力手段とを備え、前記データ放送受信機は、前記入力手段からの前記データ画面表示コマンド信号受信時に、前記データ画面表示コマンド信号を受信したことを外部から認識可能に報知する第１の報知機能を有し、前記データ放送受信機は、前記入力手段からの前記データ画面表示コマンド信号受信後、前記データ画面表示コマンド信号に基づく新たなデータ画面の前記映像信号を出力するまでの期間において、前記入力手段から出力される、データ放送操作取り消し以外を指示するさらなる前記データ画面表示コマンド信号を受け付けないマスク機能をさらに有している。
【０００８】
また、請求項２の発明は、請求項１記載のデータ放送受信システムであって、前記データ放送受信機は、前記入力手段からの前記データ画面表示コマンド信号受信時に、前記所定のデータ受信処理の内容を外部から認識可能に報知する第２の報知機能をさらに有している。
【０００９】
また、請求項３の発明は、請求項１記載のデータ放送受信システムであって、前記第１の報知機能は所定の発光手段を点灯させる機能を含む。
【００１０】
また、請求項４の発明は、請求項１記載のデータ放送受信システムであって、前記第１の報知機能は所定の音を出力させる機能を含む。
【００１１】
また、請求項５の発明は、請求項１記載のデータ放送受信システムであって、前記第１の報知機能は前記所定の画面の少なくとも一部に所定の画像の表示を行う前記映像信号を出力する機能を含む。
【００１２】
また、請求項６の発明は、請求項１記載のデータ放送受信システムであって、前記第１の報知機能は前記所定の画面を所定の表示形態にする前記映像信号を出力する機能を含む。
【００１３】
また、請求項７の発明は、請求項５記載のデータ放送受信システムであって、前記所定の画像は時間経過と共に変化する画像を含む。
【００１４】
また、請求項８の発明は、請求項５記載のデータ放送受信システムであって、前記所定の画像は所定のキャラクタを示すキャラクタ画像を含む。
【００１５】
また、請求項９の発明は、請求項８記載のデータ放送受信システムであって、前記データ放送受信機は前記キャラクタ画像の画像データを外部から取り込み可能なダウンロード機能をさらに有している。
【００１６】
また、請求項１０の発明は、請求項２記載のデータ放送受信システムであって、前記第２の報知機能は、所定の音声の出力または文字の表示を行う機能を含む。
【００１７】
また、請求項１１の発明は、請求項５記載のデータ放送受信システムであって、前記所定の画像の画像データは、前記データ放送用のデータ放送文書ファイル形式で記述されたデータを含む。
【００１９】
【発明の実施の形態】
＜実施の形態１＞
図１はこの発明の実施の形態１であるデータ放送受信システムの構成を示す説明図である。同図に示すように、データ放送受信システムはデータ放送受信機１０１、リモコン１０２及びモニタ１０３から構成される。
【００２０】
データ放送受信機１０１はデータ放送を含む電波信号１０４を受け、ユーザがリモコン１０２を操作して発行されるリモコン出力信号１０５を受けることによって動作内容がコントロールされ、データ画面を含む映像信号を映像信号ライン１０６を介してモニタ１０３に与えることにより、モニタ１０３の画面１０７上で映像表示を行うことができる。
【００２１】
図２はデータ放送受信機１０１のハードウェア構成を示すブロック図である。なお、図２において、矢印はデータの流れを表している。
【００２２】
図２において、チューナ１１１は高周波（ＲＦ）の電波信号１０４を受け、リモコン１０２のリモコン出力信号１０５によって選択されたＴＳ（トランスポートストリーム）が８ＰＳＫ（Phase Shift Keying）復調部１１２よってＰＳＫ復調され、ＴＳデコード部１１３に与えられる。
【００２３】
ＴＳデコード部１１３はＴＳを分離して音声パケットは音声デコード部１１４へ送る一方、映像パケットは映像デコード部１１５へ送る。さらにデータ放送信号はシステムバス１２４を介してＣＰＵ１２２に送る。
【００２４】
音声パケットは音声デコード部１１４でデコードされることにより音声信号として外部に出力され、映像パケットは映像デコード部１１５でデコードされ、提示処理部１１６の提示処理されることにより、映像信号として外部に出力される。
【００２５】
これらチューナ１１１、８ＰＳＫ復調部１１２、ＴＳデコード部１１３、音声デコード部１１４、映像デコード部１１５及び提示処理部１１６はシステムバス１２４に接続されている。また、Ｉ／Ｏ部１１８、ＮＶＲＡＭ１１９、ＲＯＭ１２０、ＲＡＭ１２１、ＣＰＵ１２２及びモデム１２３もシステムバス１２４に接続されている。
【００２６】
Ｉ／Ｏ部１１８はリモコン１０２から得られるリモコン出力信号を受け、システムバス１２４上に伝達する。したがって、チューナ１１１はシステムバス１２４からリモコン出力信号１０５の指示内容を認識することができる。
【００２７】
また、ＣＰＵ１２２はＲＯＭ１２０あるいはＮＶＲＡＭ１１９に格納されたデータ受信処理プログラムをデータ放送信号に対して実行し、その結果得られる表示用データを提示処理部１１６に出力し、提示処理部１１６に存在する複数のプレーン（後に詳述）のうちの所定のプレーンに表示用データを書き込む。また、ＣＰＵ１２２は場合によっては映像パケット及び音声パケットを映像デコード部１１５及び音声デコード部１１４に出力することもある。
【００２８】
図３はこの発明の実施の形態１であるデータ放送受信システムにおけるデータ放送受信機１０１が、リモコン１０２からデータ放送受信機１０１の操作を指示するリモコン出力信号（以下、このリモコン出力信号を特に「データ画面表示コマンド信号」と言う。）を受信したときの受信動作を示すフローチャートである。なお、この受信動作はＮＶＲＡＭ１１９、あるいはＲＯＭ１２０に書き込まれた受信動作プログラムをＣＰＵ１２２が実行することにより実現される。
【００２９】
図３で示す受信動作は、ユーザがリモコン１０２を操作して、データ画面表示コマンド信号を発行し、このデータ画面表示コマンド信号がＩ／Ｏ部１１８、システムバス１２４を介してＣＰＵ１２２によって検出されることにより開始される。
【００３０】
図３を参照して、まず、ステップＳ１で、データ画面表示コマンド信号が受け付けられたことをユーザに通知するユーザ通知処理（第１の報知機能による通知処理）を実行する。ユーザ通知処理として、例えば、データ放送受信機１０１の前面パネルにＬＥＤを設け、このＬＥＤを点灯させることにより、ユーザに視覚的に認識させる等の処理が考えられる。
【００３１】
次に、ステップＳ２で、データ放送信号におけるデータ放送文書ファイルをパーズ（構文解析）する。なお、パースが正常に行われた場合、パーズ後に得られた表示用データは提示処理部１１６の複数のプレーンのうち所定のプレーンに速やかに書き込まれる。
【００３２】
そして、ステップＳ３で、パーズ時にエラーが発生した否かをチェックし、エラーが発生した場合（Yes）は、ステップＳ８でエラー通知処理実施後、ステップＳ７でリモコン出力信号受信待機状態に移行して処理を終了する。エラー通知処理（第２の報知機能による処理）として、例えば、ステップＳ１で点灯させたＬＥＤを点滅させることによってユーザに視覚的に認識させる処理が考えられる。
【００３３】
ステップＳ３で文書のパーズ処理でエラーが発生しなかった場合（No）に実行されるステップＳ４において、ユーザ通知処理を解除する。なお、ユーザ通知解除処理して、例えばステップＳ１で点灯させたＬＥＤを消灯させる処理が考えられ、ＬＥＤ消灯処理によってエラーが発生することなくステップＳ２の文書パース処理が実行されたことをユーザに視覚的に知らせることができる。
【００３４】
次に、ステップＳ５において、提示処理部１１６に対する画像表示処理が実行される。なお、ここでいう画像表示処理とは、提示処理部１１６の複数のプレーンそれぞれの表示のオン，オフ等の極短時間で実行可能な画像表示処理を意味する。この画像表示処理によって新たなデータ画面がモニタ１０３の画面１０７上上に表示される。
【００３５】
そして、ステップＳ６で、ステップＳ５の画面表示処理時にエラーが発生した否かをチェックし、エラーが発生した場合（Yes）は、ステップＳ８でエラー通知処理実施後、ステップＳ７でリモコン出力信号受信待機状態に移行して処理を終了する。
【００３６】
一方、ステップＳ６で画面表示処理でエラーが発生しなかった場合（No）は、直ちにステップＳ７でリモコン出力信号受信待機状態に移行して処理を終了する。なお、ステップＳ７のリモコン出力信号受信待機処理は、本受信動作中にリモコン出力信号の受信を受け付けないマスク処理を一切行わない場合は省略することができる。
【００３７】
このように実施の形態１のデータ放送受信機は、データ放送受信機１０１に対する操作を指示するデータ画面表示コマンド信号を受信時にユーザ通知処理を実行する。
【００３８】
したがって、ユーザは、モニタ１０３の画面１０７上の表示が変化しない場合でも、ユーザ通知処理によって、データ放送受信機１０１正常に受信動作を行っていることを正しく認識することができる。その結果、ユーザが余分にリモコン１０２のボタンを押すことを確実に回避することができるため、データ放送受信機１０１を誤動作させてしまう危険性を大幅に改善することができる。
【００３９】
＜実施の形態２＞
図４はこの発明の実施の形態２のデータ放送受信システムにおけるデータ放送受信機のユーザ通知処理を示すフローチャートである。なお、このユーザ通知処理は図３で示した実施の形態１のフローチャートのステップＳ１に相当する。
【００４０】
なお、実施の形態２移行のデータ放送受信機のシステム構成及びハードウェア構成は図１及び図２で示した実施の形態１の構成とほぼ同様である。
【００４１】
図４を参照して、ステップＳ１１で、データ放送受信機１０１が検出したデータ画面表示コマンド信号の指示する処理が受付可能か否かを判断し、受付可能な場合（Yes）はステップＳ１２に移行し、既に他のデータ処理を実行中等の理由で受け付け不可能場合（No）はステップＳ１３に移行する。
【００４２】
受付可能時に実行されるステップＳ１２において、データ放送受信機１０１の内蔵音５番の音を鳴らして受け付け了承をユーザに報知して、図３のステップＳ２の処理に移行する。
【００４３】
したがって、ユーザは、内蔵音５番の音を聴覚的に認識することにより、データ放送受信機がデータ画面表示コマンドを受け付けたことを認識することができる。
【００４４】
なお、データ放送受信機１０１の内蔵音は運用規格ＡＲＩＢ（Association of Radio Industries and Businesses）  ＴＲ−１５においてボタン操作音には５番から１２番が割り当てられている。これらの内蔵音の音データはＮＶＲＡＭ１１９あるいはＲＯＭ１２０に予め登録されており、ＣＰＵ１２２が音データを読み出して音声デコード部１１４に与え、音声デコード部１１４から音データで規定された音声信号を外部出力させることにより実現する。
【００４５】
一方、受付不能時に実行されるステップＳ１３において、受信機内蔵音６番を鳴らして、ユーザに受付拒否（エラーが発生）したことを報知して、図３のステップＳ７の処理に移行する。したがって、ユーザは、内蔵音６番の音を聴覚的に認識することにより、データ放送受信機がデータ画面表示コマンドを受け付けなかったことを認識することができる。
【００４６】
このように、実施の形態２のデータ放送受信システムにおいては、データ画面表示コマンド信号受信時に内蔵音５番あるいは６番の音を出力することによって、データ放送受信機のデータ受信時の内容（受付可能、不可能）を加味したユーザ通知処理を行うことができる。
【００４７】
＜実施の形態３＞
図５及び図６はこの発明の実施の形態３のデータ放送受信システムにおけるモニタで表示されるデータ放送表示画面を示す説明図である。図５において、モニタ１０３の画面１０７上に表示されるデータ放送表示画面３１には、映像画面３８とともにデータ選択ボタン３７ａ〜３７ｃ及びアニメーション画像３２が表示されており、図６においては、アニメーション画像３２に代わってアニメーション画像３３が表示され、他は図５と同様な表示内容である。
【００４８】
図７は提示処理部１１６における画像提示プレーンの重なりの順番を表す説明図である。図７に示すように、最下層の動画プレーン９１から、静止画プレーン９２、動画静止画切り替えプレーン９３、文字図形プレーン９４、字幕プレーン９５及び最上層の受信機情報表示プレーン９６の順に重ね合わさっている。各プレーン９１〜９６は部分的に背景色を透明にすることによって、下の層にあるプレーンを透過表示することができる。また、ＣＰＵ１２２の制御下で提示処理部１１６はプレーン９１〜９６それぞれの表示のオン，オフを実行することもできる。
【００４９】
実施の形態３では、図３で示す実施の形態１のステップＳ１のユーザ通知処理としてデータ放送表示画面３１の右下部にアニメーション画像３２の表示を行う。アニメーション画像３２の表示は図７の受信機情報表示プレーン９６に表示する。このアニメーション画像３２を規定するアニメーション用の画像ファイル（画像データ）はデータ放送受信機１０１の不揮発性メモリであるＮＶＲＡＭ１１９上に記憶されている。
【００５０】
すなわち、データ画面表示コマンド信号がデータ放送受信機１０１で検知されたときに、信号受信が正常であることを知らせるアニメーション画像３２の画像データがＮＶＲＡＭ１１９から読み出され、受信機情報表示プレーン９６に対して表示用データとして書き込む処理をＣＰＵ１２２が実行することにより、データ放送表示画面３１内にアニメーション画像３２を表示することができる。
【００５１】
そして、データ放送受信機１０１が図３のステップＳ２の文書のパーズ処理に入ると、アニメーション画像３２代えて図６で示すアニメーション画像３３を表示させる。
【００５２】
さらに、図３のステップＳ８のエラー通知処理として、別のエラー用のアニメーション画像（図示せず）を表示する。そして、ステップＳ５の画面表示処理時にアニメーション画像をデータ放送表示画面３１から消去する。
【００５３】
このように、実施の形態３は、データ放送受信機１０１をユーザ通知処理であることをアニメーション画像で報知（第１の報知機能による報知）することにより、ユーザはデータ放送受信機１０１がデータ画面表示コマンド信号を受信したことを容易かつ正確に認識することができる。
【００５４】
加えて、実施の形態３は、文書パーズ通知処理、あるいはエラー通知処理に固有のアニメーション画像で報知（第２の報知機能による報知）することにより、ユーザはデータ放送受信機１０１のデータ受信内容を容易かつ正確に認識することができる。
【００５５】
また、ユーザ通知処理、文書パーズ通知処理、あるいはエラー通知処理としてアニメーション画像を表示することによりユーザが退屈しにくい状況にすることができる。
【００５６】
＜実施の形態４＞
実施の形態１の図３で示すステップＳ２のユーザ通知処理として、データ放送表示画面３１中の一部の画面の色を変化させる等の画面の表示形態を変える方法も考えられる。
【００５７】
例えば、次の画面が表示されるまで待たなければならないときは、画面の色を暗いものに変化させる。暗い色の画面は図７の受信機情報表示プレーン９６に表示すれば良い。また、受信機情報表示プレーン９６を網掛け画像にすることにより、現在表示されているデータ放送表示画面３１の全体に半透明の網掛け画像を表示し、次のデータ画面が表示される準備ができたとき（図３のステップＳ４でNoとなったとき）に受信機情報表示プレーン９６のプレーン全体を透明にすることによって網掛け画像を消去し、新しいデータ画面を表示すれば良い。
【００５８】
このように実施の形態４は、データ放送表示画面３１を網掛け画像等の所定の表示形態にする第１の報知機能を有しているため、ユーザはデータ放送受信機１０１がデータ画面表示コマンドを受け付けたことを、データ放送表示画面３１を通して視覚的に認識することができる。
【００５９】
＜実施の形態５＞
図８はこの発明の実施の形態５であるデータ放送受信機で表示されるデータ放送表示画面を示す説明図である。同図において、データ放送表示画面３１には、映像画面３８とともにデータ選択ボタン３７ａ〜３７ｃ及びステータスバー３４が表示されている。ステータスバー３４は“０”から所定数に変化する長方形のステータスブロック３４ａから構成される。
【００６０】
実施の形態５では、画面の右下端部にステータスバー３４を設け、データ画面表示コマンド信号で指示された新たなデータ画面が表示されるまでの待ち時間においてステータスバー３４の表示を行うことによりユーザ通知処理を行う。ステータスバー３４は図７の受信機情報表示プレーン９６に描画する。データ放送受信機１０１がデータ画面表示コマンド信号を検知し、図３のステップＳ１のユーザ通知処理として、直ちにステータスバー３４中に１つのステータスブロック３４ａを描画し、以降１０秒経過する毎に１つのステータスブロック３４ａを順次並べて描画し、図３のステップＳ４のユーザ通知解除処理実行時にステータスバー３４の表示を消去する。
【００６１】
このように実施の形態５のデータ放送受信システムは、ユーザがステータスバー３４を見ながら新たなデータ画面の表示に関する中間状態を認識することができる。
【００６２】
＜実施の形態６＞
図９はこの発明の実施の形態６のデータ放送受信システムにおけるデータ放送受信機で表示されるデータ放送表示画面を示す説明図である。図９において、データ放送表示画面３１には、映像画面３８とともにデータ選択ボタン３７ａ〜３７ｃ及び「コマンド信号を受け付けました」の文字表示画面３５が表示されている。
【００６３】
すなわち、データ画面表示コマンド信号がデータ放送受信機１０１で検知されたとき（図３のステップＳ１のユーザ通知処理実行時に）に、信号受信が正常であることを知らせる文字表示画面３５がデータ放送表示画面３１内に表示される。
【００６４】
図１０はこの発明の実施の形態６のデータ放送受信システムにおけるデータ放送受信機で表示される他のデータ放送表示画面を示す説明図である。図１０において、データ放送表示画面３１には、映像画面３８とともにデータ選択ボタン３７ａ〜３７ｃ及び「画面を更新中です」の文字表示画面３６が表示されている。
【００６５】
例えば、データ放送受信機１０１が図３のステップＳ２の文書パーズ処理に時間を要している場合は、文字表示画面３５を文字表示画面３６に切り替えて表示する。なお、文字表示画面３６としては「文書をパーズしています」という表現を用いても良い。
【００６６】
このように、実施の形態６では、図３で示す実施の形態１のステップＳ１及びＳ２時にデータ放送表示画面３１の右下端部に文字表示画面３５及び３６の表示を行う。文字表示画面３５及び３６の表示は図７の受信機情報表示プレーン９６に表示する。
【００６７】
このように、実施の形態６は、ユーザ通知処理を文字表示画面で実現しているため、ユーザはデータ画面表示コマンド信号が受け付けられたことを、データ放送表示画面３１の文字表示画面３５から正確に視覚的に認識することができる。
【００６８】
さらに、実施の形態６は、パーズ処理中であることを文字表示画面で報知しているため、ユーザはデータ受信処理の内容を、データ放送表示画面３１の文字表示画面３５から容易かつ正確に視覚的に認識することができる。
【００６９】
＜実施の形態７＞
実施の形態６のデータ放送表示画面３１に文字表示画面を表示させる代わりに、データ放送受信機１０１の操作状況を音声でユーザに知らせるようにしても良い。すなわち、図３のステップＳ１のユーザ通知処理として「信号を受け付けました」という音声出力を行い、次のデータ画面の表示に時間がかかる場合は、「文書をパーズしています」という音声出力や「画面を更新中です」という音声出力で案内し、データ受信処理の内容をユーザに知らせる。
【００７０】
このように、実施の形態７のデータ放送受信機１０１はユーザ通知処理、文書パーズ処理、あるいはエラー通知処理であることを意味する言葉を音声で報知する機能を有しているため、ユーザはデータ画面表示コマンド信号が受け付けられたこと及びデータ受信処理の内容をそれぞれ容易かつ正確に聴覚的に認識することができる。
【００７１】
なお、これらの言葉の音声データはＮＶＲＡＭ１１９あるいはＲＯＭ１２０に予め登録されており、ＣＰＵ１２２が言葉の音声データを読み出して音声パケットとして音声デコード部１１４に与え、音声デコード部１１４から音声信号を外部出力させることにより、モニタ１０３等の音声出力部からの言葉の音声出力が実現する。
【００７２】
＜実施の形態８＞
図１１はこの発明の実施の形態８であるデータ放送受信機でデータ放送表示画面上に表示されるキャラクタの例を示す説明図である。同図において、状況表示キャラクタ４１は笑っているキャラクタであり、状況表示キャラクタ４２は泣いているキャラクタである。これらの状況表示キャラクタ４１，４２はＮＶＲＡＭ１１９にその画像データが予め登録されている。なお、キャラクタとは、漫画やテレビ、映画等に登場する架空の人物や擬人化された動物等の容貌、姿態、図柄などを総称したものを意味する。
【００７３】
実施の形態１の図３のステップＳ１のユーザ通知処理として状況表示キャラクタ４１を表示し、また、ステップＳ８のエラー通知処理として状況表示キャラクタ４２を表示させても良い。なお、状況表示キャラクタ４１，４２の表示は実施の形態３のアニメーション画像３２，３３と同様な方法で表示させれば良い。
【００７４】
なお、状況表示キャラクタ４１，４２はそれぞれ「笑う」動作、４２の「泣く」動作を動画で実現してもよい。また、データ放送受信機１０１の状況に応じて、他に「歩く」「走る」「手を振る」などの数種類の動画パターンを表示させても良い。
【００７５】
このように、実施の形態７のデータ放送受信機１０１は、ユーザ通知処理、あるいはエラー通知処理であることを特徴が明確なキャラクタ画像を表示して報知する機能を有しているため、ユーザはデータ画面表示コマンド信号が受け付けられたこと及びデータ受信処理の内容をそれぞれ容易かつ正確に聴覚的に認識することができる。
【００７６】
また、ユーザ通知処理、あるいはエラー通知処理としてキャラクタを表示することによりユーザが退屈しにくい状況にすることができる。
【００７７】
＜実施の形態９＞
図１２はこの発明の実施の形態９であるキャラクタの例を示す説明図である。同図において、状況表示キャラクタ４３及び４４はそれぞれ後述する方法でダウンロードして得られたキャラクタであり、状況表示キャラクタ４３が「笑い」を表現し、状況表示キャラクタ４４は「泣き」を表現している。
【００７８】
実施の形態９では、実施の形態８に示したデータ放送受信機１０１のＮＶＲＡＭ１１９に登録された図１１で示す状況表示キャラクタ４１，４２を、新たにダウンロードした図１２で示す状況表示キャラクタ４３，４４に変更することができる。その結果、ユーザの好みに合わせたキャラクタを表示させることができ、新たなデータ画面が更新されるまでの待ち時間を退屈することもなくなる。
【００７９】
ダウンロードの方法は電波信号１０４から得られるデータ放送を通じて行う。または、データ放送受信機１０１を図２では図示しない電気通信回線を用いて接続可能に構成し、ユーザからのダウンロードリクエストに応じて所望のキャラクタのデータをその都度、上記電気通信回線を介してダウンロードするようにしても良い。ダウンロードするキャラクタとして、動作は実施の形態８に示した「笑う」、「泣く」などの基本動作セットを備えることにより、データ放送受信機１０１の状況に応じた動作を実施の形態８と同様にデータ放送表示画面３１に表示させることができる。
【００８０】
＜実施の形態１０＞
図１３はこの発明の実施の形態１０であるアニメーション画像（実施の形態３のアニメーション画像、実施の形態５のステータスバー、実施の形態８，実施の形態９のキャラクタの画像を含む）を表示するためのＢＭＬ（Broadcast Markup Language）文書記述例を示す説明図である。同図において、５１はｏｎｕｎｌｏａｄ記述、５２はｏｎｕｎｌｏａｄ処理によって呼び出されるスクリプト関数、５３は拡張したスクリプトである。図１３で示すデータ放送文書ファイルの形式であるＢＭＬ形式で例えば実施の形態３のアニメーション画像３２，３３等を記述することができる。
【００８１】
ＢＭＬ文書には文書遷移時のスクリプトとしてｏｎｕｎｌｏａｄ処理で関数を指定することができる（図１３の５１）。ｏｎｕｎｌｏａｄ処理で呼び出す関数（図１３の５２）に拡張したスクリプト（図１３の５３）を記述することにより、受信機内蔵音を呼び出すのと同様に受信機内蔵のアニメーションを呼び出し、データ放送表示画面３１上に表示させることができる。
【００８２】
このように、実施の形態１０のデータ放送受信システムにおいて、データ放送信号のデータ放送文書ファイルと同じＢＭＬ形式で記述してアニメーション画像を実現するため、データ放送文書ファイル形式用のパーズ処理をアニメーション画像表示用にもそのまま適用することができる。
【００８３】
＜実施の形態１１＞
図１４及び図１５はこの発明の実施の形態１１のリモコン１０２のキー群を示す説明図である。図１４及び図１５に示すように、リモコン１０２は、色ボタン群７１（７１ａ）、データボタン７２、戻りボタン７３、上下左右決定キー群７４（７４ａ）、及び数字ボタン群７５から構成される。
【００８４】
データ放送受信機１０１がリモコン１０２の色ボタン群７１や決定ボタン７４を押したときに、データ画面表示コマンド信号を含む、次の画面に遷移する動作等のデータ画面表示に関するコマンド信号が発行される構成の場合、新たなデータ画面表示処理が完了するまでリモコン１０２における色ボタン群７１，上下左右決定キー群７４のキー入力をマスクし、色ボタン群７１，上下左右決定キー群７４を押してもデータ放送受信機１０１が反応しないようにする。
【００８５】
図１５の色ボタン群７１ａおよび上下左右決定キー群７４ａはマスクされた状態を示しており、その他のキーはマスクしていない状態を表している。マスクされた色ボタン群７１ａ，マスクされた上下左右決定キー群７４ａを押すことによりデータ画面表示に関するコマンド信号がリモコン１０２から発行された場合には、データ放送受信機１０１はマスク機能によりこれらのコマンド信号を受け付けず、無視する。
【００８６】
一方、取り消しキーに相当する戻るボタン７３とデータ放送を切り替えるデータボタン７２、およびチャンネル切り替えに用いる可能性のある数字ボタン７５を押すことにより別のコマンド信号が発行された場合には、データ放送受信機１０１は受け付ける。
【００８７】
データ画面表示コマンド信号が発行された直後は、現在表示されているデータ画面の操作が有効になっている場合が考えられるため、上下左右決定キー群７４および色ボタン群７１を押すことによって、データ画面表示に関するコマンド信号がリモコン１０２からデータ放送受信機１０１に送られると、データ放送受信機１０１の正常な動作が得られない場合がある。
【００８８】
しかし、取り消し操作に関係しないキー群（色ボタン群７１、上下左右決定キー群７４）をマスクすることによって、現在表示されているデータ画面に対する操作を誤って行うことを確実に回避することができる。
【００８９】
ＢＭＬ文書ではｕｓｅｄ−ｋｅｙ−ｌｉｓｔによってマスクするキーが設定されているが、ＢＭＬ文書内で１度しか指定されないため次のデータ画面遷移時にキーのマスクを変更することはできない。そのため、実施の形態１１のようにデータ放送受信機１０１側で新たにマスク処理を行う必要がある。
【００９０】
図１６は、データ放送受信機１０１によるリモコン１０２のボタンのマスク動作を示すフローチャートである。このマスク動作はデータ画面表示コマンド信号を検知することにより実行される。
【００９１】
図１６を参照して、ステップＳ２１で、色ボタン群７１および上下左右決定ボタン７４等のリモコン出力信号を受け付けないデータ放送操作コマンドマスク処理を実行する。
【００９２】
次に、ステップＳ２２で、データ放送操作取り消しボタン（戻りボタン７３）あるいはデータボタン７２が押されたかどうかを判別し、押された場合（Yes）はステップＳ２３に移行し、押されなかった場合（No）はステップＳ２４に移行する。
【００９３】
ステップＳ２２でYesの場合に実行されるステップＳ２３において、検知したデータ画面表示コマンド信号を取り消す処理を実行し、ステップＳ２５に移行する。
【００９４】
ステップＳ２２でNoの場合に実行されるステップＳ２４において、次のデータ画面の表示が完了したかどうかを調べ、表示が完了していない場合はステップＳ２２に戻り、は表示が完了するとステップＳ２５に移行する。
【００９５】
ステップＳ２５において、データ放送操作コマンドマスク処理の解除を行い、色ボタン群７１および上下左右決定ボタン７４等のリモコン出力信号を受付可能にして処理を終了する。
【００９６】
実施の形態１１では、ソフトウェア処理におけるポーリングによって取り消しキーが押されたことを監視したが、割り込みによって処理しても良い。
【００９７】
＜実施の形態１２＞
実施の形態１１において、次のデータ画面の表示待ちでデータ放送操作コマンドマスク処理中にリモコン１０２からマスクされたキーのリモコン出力信号が送られてきた場合に、データ放送表示画面に「しばらくお待ちください」などのメッセージをデータ放送表示画面にオーバーレイ表示させるようにしても良い。
【００９８】
【発明の効果】
以上説明したように、この発明における請求項１記載のデータ放送受信システムのデータ放送受信機は、入力手段からのデータ画面表示コマンド信号受信時に、データ画面表示コマンド信号を受信したことを外部から認識可能に報知する第１の報知機能を有しているため、新たなデータ画面の表示に処理時間がかかった場合でも、ユーザは第１の報知機能によってデータ放送受信機がデータ画面表示コマンドを受け付けたことを正しく認識することができる。
加えて、請求項１記載のデータ放送受信システムのデータ放送受信機はマスク機能を有することにより、新たなデータ画面を表示する処理中に入力手段によってさらなるデータ画面表示コマンド信号を出力し別の操作が行われることを回避することができる。
【００９９】
請求項２記載のデータ放送受信システムのデータ放送受信機は第２の報知機能を有しているため、ユーザはデータ放送受信機の所定のデータ受信処理の内容を第２の報知機能によって正しく認識することができる。
【０１００】
請求項３記載のデータ放送受信システムのデータ放送受信機は所定の発光手段を点灯させる第１の報知機能を有しているため、ユーザはデータ放送受信機がデータ画面表示コマンドを受け付けたことを視覚的に認識することができる。
【０１０１】
請求項４記載のデータ放送受信システムのデータ放送受信機は、所定の音を出力させる第１の報知機能を有しているため、ユーザはデータ放送受信機がデータ画面表示コマンドを受け付けたことを聴覚的に認識することができる。
【０１０２】
請求項５記載のデータ放送受信システムのデータ放送受信機は、所定の画面の少なくとも一部に所定の画像を表示させる第１の報知機能を有しているため、ユーザはデータ放送受信機がデータ画面表示コマンドを受け付けたことを、所定の画面を通して視覚的に認識することができる。
【０１０３】
請求項６記載のデータ放送受信システムのデータ放送受信機は、所定の画面を所定の表示形態にする第１の報知機能を有しているため、ユーザはデータ放送受信機がデータ画面表示コマンドを受け付けたことを、所定の画面を通して視覚的に認識することができる。
【０１０４】
請求項７記載のデータ放送受信システムにおいて、所定の画像は時間経過と共に変化する画像を含むため、ユーザは所定の画像を見ながら新たなデータ画面の表示に関する中間状態を認識することができる。
【０１０５】
請求項８記載のデータ放送受信システムにおいて、所定の画像は所定のキャラクタを示すキャラクタ画像を含むため、ユーザは所定のキャラクタによって極めて容易に所定の画像を認知することができる。
【０１０６】
請求項９記載のデータ放送受信システムのデータ放送受信機はダウンロード機能をさらに有するため、ユーザ所望のキャラクタ画像の画像表示により第１の報知機能を実現することができる。
【０１０７】
請求項１０記載のデータ放送受信システムは、所定の音声出力または文字表示を行う第２の報知機能を有するため、ユーザは所定のデータ受信処理の内容を正しく聴覚的に認識することができる。
【０１０８】
請求項１１記載のデータ放送受信システムにおいて、所定の画像の画像データは、データ放送用のデータ放送文書ファイル形式で記述されたデータを含むため、データ放送文書ファイル形式用のパーズ処理を所定の画像の画像データに対しても適用することができる。
【図面の簡単な説明】
【図１】  実施の形態１のデータ放送受信機のシステム構成を示す説明図である。
【図２】  データ放送受信機のハードウェア構成を示すブロック図である。
【図３】  実施の形態１のデータ放送受信機のリモコン出力信号の受信動作を示すフローチャートである。
【図４】  実施の形態２のデータ放送受信機の受信動作を示すフローチャートである。
【図５】  実施の形態３のデータ放送受信機で表示されるデータ放送表示画面を示す説明図である。
【図６】  実施の形態３のデータ放送受信機で表示されるデータ放送表示画面を示す説明図である。
【図７】  画像提示プレーンの重なりの順番を表す説明図である。
【図８】  実施の形態５のデータ放送受信機で表示されるデータ放送表示画面を示す説明図である。
【図９】  実施の形態６のデータ放送受信機で表示されるデータ放送表示画面を示す説明図である。
【図１０】  実施の形態６のデータ放送受信機で表示されるデータ放送表示画面を示す説明図である。
【図１１】  実施の形態８のデータ放送受信機でデータ放送表示画面上に表示されるキャラクタの例を示す説明図である。
【図１２】  実施の形態９で表示されるキャラクタの例を示す説明図である。
【図１３】  実施の形態１０でアニメーションを表示するためのＢＭＬ文書記述例を示す説明図である。
【図１４】  実施の形態１１のデータ放送受信機におけるリモコンのキー群を示す説明図である。
【図１５】  実施の形態１１のデータ放送受信機におけるリモコンのキー群を示す説明図である。
【図１６】  リモコンのボタンのマスク動作を示すフローチャートである。
【図１７】  従来のデータ放送受信システム全体の構成を示すブロック図である。
【符号の説明】
１０１  データ放送受信機、１０２  リモコン、１０３  モニタ、１１１  チューナ、１１３  ＴＳデコード部、１１４  音声デコード部、１１５  映像デコード部、１１８  Ｉ／Ｏ部、１１９  ＮＶＲＡＭ、１２０  ＲＯＭ、１２１  ＲＡＭ、１２２  ＣＰＵ。
【図１】
0004336063.tif 000002
【図２】
0004336063.tif 000003
【図３】
0004336063.tif 000004
【図４】
0004336063.tif 000005
【図５】
0004336063.tif 000006
【図６】
0004336063.tif 000007
【図７】
0004336063.tif 000008
【図８】
0004336063.tif 000009
【図９】
0004336063.tif 000010
【図１０】
0004336063.tif 000011
【図１１】
0004336063.tif 000012
【図１２】
0004336063.tif 000013
【図１３】
0004336063.tif 000014
【図１４】
0004336063.tif 000015
【図１５】
0004336063.tif 000016
【図１６】
0004336063.tif 000017
【図１７】
0004336063.tif 000018